(57)【要約】【課題】本発明は、フローティング型電気コネクタに関し、浮動ハウジングがコネクタ嵌合時に挿入方向に押されて移動してしまうのを防止し、輸送中の振動による異音発生を防止することが課題である。【解決手段】プリント基板側に固定される固定ハウジング２とコンタクト３を介して前記固定ハウジングに浮動状態に支持される浮動ハウジング４とで構成されるフローティング型電気コネクタにおいて、前記固定ハウジング２に、コネクタ嵌合方向を上下方向とした場合の挿入方向である下方向に前記浮動ハウジング４が移動しないように当該浮動ハウジングの下面を支持する位置規制部材５ｂが設けられているフローティング型電気コネクタ１とする。【選択図】図３
2006216298.tif 000002
【特許請求の範囲】
【請求項１】
プリント基板側に固定される固定ハウジングとコンタクトを介して前記固定ハウジングに浮動状態に支持される浮動ハウジングとで構成されるフローティング型電気コネクタにおいて、
前記固定ハウジングに、コネクタ嵌合方向を上下方向とした場合の挿入方向である下方向に前記浮動ハウジングが移動しないように当該浮動ハウジングの下面を支持する位置規制部材が設けられていること、
を特徴とするフローティング型電気コネクタ。
【請求項２】
位置規制部材は、固定ハウジングの左右端部側に設けられるホールドダウンの各々のホールドダウンの一部を略水平方向に屈曲させ突出させて支持面が形成された支持部材であること、
を特徴とする請求項１に記載のフローティング型電気コネクタ。
【請求項３】
位置規制部材の支持面には、振動吸収用の弾性部材が貼着されていること、
を特徴とする請求項２に記載のフローティング型電気コネクタ。
【発明の詳細な説明】
【技術分野】
【０００１】
本発明は、例えば、ボードトゥボード用のコネクタにおけるフローティング型電気コネクタに関するものである。
【背景技術】
【０００２】
従来、フローティング型電気コネクタは、プリント基板のボード同士をコネクタを介して電気的に接続する場合に、成形誤差や組立誤差を吸収して嵌合作業がスムーズに行われるように、雌雄コネクタの一方に浮動ハウジングを設けて成るものである。その構成は、例えば、回路基板に固定される固定ハウジングと、該回路基板の面に平行で前記固定ハウジングに対して可動な浮動ハウジングと、前記固定ハウジングと浮動ハウジングとに架設される接触子（コンタクト）とを有し、この接触子の中間部に形成された可撓部において前記浮動ハウジングを可動とするものが知られている（特許文献１参照）。
【特許文献１】特開平１０−５５８５６号公報
【発明の開示】
【発明が解決しようとする課題】
【０００３】
しかし、従来のフローティング型電気コネクタでは、浮動ハウジングが接触子のみで支持されているので、例えば、このフローティング型電気コネクタを回路基板にマウントする際に、マウント器具で前記浮動ハウジングの上面に吸着手段を当接させると、その衝撃によって当該浮動ハウジングが下に押圧され変位したり、コネクタの輸送中に振動により浮動ハウジングの一部が固定ハウジングに衝突してカタカタと異音が発生したりする。本発明に係るフローティング型電気コネクタは、このような課題を解決するために提案されたものである。
【課題を解決するための手段】
【０００４】
本発明に係るフローティング型電気コネクタの上記課題を解決して目的を達成するための要旨は、 プリント基板側に固定される固定ハウジングとコンタクトを介して前記固定ハウジングに浮動状態に支持される浮動ハウジングとで構成されるフローティング型電気コネクタにおいて、前記固定ハウジングに、コネクタ嵌合方向を上下方向とした場合の挿入方向である下方向に前記浮動ハウジングが移動しないように当該浮動ハウジングの下面を支持する位置規制部材が設けられていることである。
【０００５】
前記位置規制部材は、固定ハウジングの左右端部側に設けられるホールドダウンの各々のホールドダウンの一部を略水平方向に屈曲させ突出させて支持面が形成された支持部材であること、；
前記位置規制部材の支持面には、振動吸収用の弾性部材が貼着されていること、；
を含むものである。
【発明の効果】
【０００６】
本発明のフローティング型電気コネクタによれば、プリント基板同士をフローティング型電気コネクタと嵌合相手方の電気コネクタとを嵌合させると、前記フローティング型電気コネクタの浮動ハウジングが挿入方向に押圧されても、前記位置規制部材により、挿入方向への移動が阻止される。このフローティング型電気コネクタをプリント基板にマウントする際にも、コネクタを吸着する吸着機で挿入方向に押されても、同様に移動が防止される。
【０００７】
また、この位置規制部材を、プリント基板への固定用に使用されるホールドダウンの一部によって形成することで、別体の部品が増やすことなく簡易に目的を達成することができる。
更に、フローティング型電気コネクタの輸送中において、従来例においては振動によって浮動ハウジングの一部が固定ハウジングの一部と衝突して異音が生じているが、前記位置規制部材の支持面に弾性部材が設けられていることにより、前記振動が吸収されて前記異音の発生が防止される。
【発明を実施するための最良の形態】
【０００８】
本発明に係るフローティング型電気コネクタ１は、図１乃至図３に示すように、プリント基板側に表面実装されて固定される固定ハウジング２と、コンタクト３を介して前記固定ハウジング２に浮動状態に支持される浮動ハウジング４とで構成される。
【０００９】
前記固定ハウジング２は、左右方向に細長い矩形状の合成樹脂製ハウジングであり、中央部は矩形状の空所が形成され、前後の枠の下面には、コンタクト３用の圧入孔２ａが多数個、併設されている。また、左右の端部には、下側からホールドダウン５を圧入して固定するための嵌合孔２ｂが設けられている。更に、図４に示すプリント基板６に表面実装するために、４箇所に支持脚２ｃが設けられている。
【００１０】
前記浮動ハウジング４は、合成樹脂製であり、図３に示すように、平板体から上部に矩形ぞ状の左右方向に細長く突起部４ａが形成され、そこにはコンタクト３用のスリット状の収納部４ｂが前後に２箇所で、左右方向に多数併設されている。この突起部４ａが前記固定ハウジング２の空所に収まるもので、各コンタクト３の一部が装着され、相手側コネクタとの接触部が形成される。
【００１１】
前記コンタクト３は、図３乃至図４に示すように、大きな湾曲部３ａを介してハウジングとの嵌合部３ｂ，３ｃが設けられている。また、コンタクト３において、浮動ハウジング４の収納部４ｂに圧入される嵌合部３ｂには、図４に示すプリント基板８に実装された雌コネクタ７のコンタクト７ａに、弾力を持って摺接し当接する接触片３ｄが形成されている。
【００１２】
このコンタクト３が、図３乃至図４に示すように、対向配置にされ、それが左右方向へ多数併設されており、嵌合部３ｃが嵌合された浮動ハウジング４を支持する。前記コンタクト３の湾曲部３ａがあることで、前後左右と上下に移動できる状態に支持され、嵌合時に位置調整が可能な浮動ハウジング４となるものである。
【００１３】
前記固定ハウジング２の嵌合孔２ｂに圧入されるホールドダウン５は、図２乃至図３に示すように、嵌合部５ｃと、この嵌合部５ｃと直交する方向（水平方向）に屈曲されプリント基板６に半田付けされる固定部５ａと、同じく直交する方向（水平方向）に屈曲され突出された位置規制部５ｂとが形成されている。
【００１４】
前記位置規制部５ｂは、フローティング型電気コネクタ１に雌コネクタ７を嵌合させた際に、若しくは、輸送時の振動状態において、コネクタ嵌合方向を上下方向とした場合の挿入方向である下方向に前記浮動ハウジング４が移動しないように、当該浮動ハウジング４の下面を支持する支持面（上面）が形成された位置規制部材である。
【００１５】
更に、前記位置規制部５ｂの支持面（上面）には、振動吸収用の弾性部材、例えば、弾性テープ、ゴム板等の合成樹脂系の薄板、が貼着される。これにより、浮動ハウジング４と位置規制部５ｂとの接触面における衝撃が緩和され、フローティング型電気コネクタ１の輸送時において静粛性が向上するものである。
【００１６】
このようにして形成されるフローティング型電気コネクタ１によれば、図４に示すように、該フローティング型電気コネクタ１がプリント基板６にハンダ付けにより表面実装され、ホールドダウン５の５ａがハンダ付けされる。一方、雌コネクタ７もプリント基板８に表面実装される。
【００１７】
そして、コネクタ１と雌コネクタ７とを嵌合させると、浮動ハウジング４が前後左右方向に自由に移動し、組立誤差等を吸収して位置合わせされてスムーズに嵌合する。この嵌合時に、前記ホールドダウン５の位置規制部５ｂの支持面により、浮動ハウジング４の下方向への移動が阻止され、コンタクト３の湾曲部３ａが保護される。
【００１８】
よって、プリント基板に実装されたコネクタ同士の嵌合により、浮動ハウジング４が下に移動して、コンタクト３が変形するおそれがなくなる。そして、コンタクト３の接触片３ｄと雌コネクタ７のコンタクト７ａとの嵌合が確実に行われ、接触状態が安定する。
【図面の簡単な説明】
【００１９】
【図１】本発明に係るフローティング型電気コネクタ１の斜め上から見た斜視図である。
【図２】同本発明のフローティング型電気コネクタの斜め下から見た斜視図である。
【図３】同フローティング型電気コネクタ１の分解斜視図である。
【図４】同フローティング型電気コネクタ１の使用状態における断面図である。
【図５】同フローティング型電気コネクタ１の底面図である。
【図６】同フローティング型電気コネクタ１の縦断面図である。
【図７】同フローティング型電気コネクタ１の平面図である。
【符号の説明】
【００２０】
１              フローティング型電気コネクタ、
２              固定ハウジング、
３              コンタクト、                    ３ａ          湾曲部、
３ｂ，３ｃ      嵌合部、                        ３ｄ          接触片、
４              浮動ハウジング、                ４ａ          突起部、
４ｂ            収納部、          
５              ホールドダウン、                ５ａ          固定部、
５ｂ            位置規制部、                    ５ｃ          嵌合部、  
６              プリント基板、
７              雌コネクタ、                    ７ａ          コンタクト、
８              プリント基板。
【図１】
2006216298.tif 000003
【図２】
2006216298.tif 000004
【図３】
2006216298.tif 000005
【図４】
2006216298.tif 000006
【図５】
2006216298.tif 000007
【図６】
2006216298.tif 000008
【図７】
2006216298.tif 000009